(57)【特許請求の範囲】
【請求項１】
１つまたは１組の大規模なチャネルパラメータに対し伝送チャネルに相関し、Ｋ（正整数）個のダウンリンク参照信号の伝送リソースである第１伝送リソースを特定し、前記第１伝送リソースの構成情報を第１シグナリングで端末に送信するステップと、
前記伝送チャネルに用いられる伝送パラメータに基づいて、Ｌ（Ｋ以下の正整数）個のダウンリンク参照信号の伝送リソースである第２伝送リソースを前記第１伝送リソースから選択し、前記第２伝送リソースの指示情報を第２シグナリングで前記端末に送信するステップとを含み、
前記１つまたは１組の大規模なチャネルパラメータに対し伝送チャネルに相関する第１伝送リソースを特定するステップの前に、さらに、
Ｎ（Ｋ以上）個のダウンリンク参照信号の伝送リソースである第３伝送リソースを前記端末に対し構成し、前記第３伝送リソースの構成情報を第３シグナリングで前記端末に送信するステップを含み、
前記１つまたは１組の大規模なチャネルパラメータに対し伝送チャネルに相関する前記第１伝送リソースを特定するステップは、
前記第３伝送リソースから前記第１伝送リソースを特定するステップを含み、
前記第３伝送リソースから前記第１伝送リソースを特定するステップは、
前記端末または基地局自身によって所定の品質指標に基づいて前記第３伝送リソースを測定した測定結果を取得するステップと、
前記測定結果に基づいて、前記第３伝送リソースから前記第１伝送リソースを特定するステップとを含む大規模なチャネルパラメータの指示方法。
【請求項２】
前記指示情報は、前記第１伝送リソースにおける前記第２伝送リソースの番号情報を含む請求項１に記載の大規模なチャネルパラメータの指示方法。
【請求項３】
前記構成情報は、前記第１伝送リソースを所定の組分け基準で組分けした後の組分け情報を含み、
前記所定の組分け基準は、同じ大規模なチャネルパラメータのダウンリンク参照信号の伝送リソースを１組に分けること、または、同一の受信ビームで受信を行う伝送リソースを１組に分けること、または、同じチャネル伝送要件を有する伝送リソースを１組に分けることを含む請求項１または２に記載の大規模なチャネルパラメータの指示方法。
【請求項４】
前記測定結果に基づいて、前記第３伝送リソースから前記第１伝送リソースを特定するステップは、
前記第３伝送リソースの測定結果を高い順にソートしてソートリストを得るステップと、
前記ソートリストの中の前からＫ個の測定結果に対応するダウンリンク参照信号の伝送リソースを前記第１伝送リソースとして特定するステップとを含み、
又は、
前記測定結果に基づいて、前記第３伝送リソースから前記第１伝送リソースを特定するステップは、
前記測定結果に基づいて、最適なダウンリンク参照信号の伝送リソースに用いられる第１送信ビームを特定するステップと、
前記第１送信ビームに隣接し、前記第１送信ビームとの空間方向角度の差が所定範囲内にあるＫ個の第２送信ビームを特定するステップと、
前記Ｋ個の第２送信ビームに対応するＫ個のダウンリンク参照信号の伝送リソースを前記第１伝送リソースとして特定するステップとを含む請求項１に記載の大規模なチャネルパラメータの指示方法。
【請求項５】
前記１つまたは１組の大規模なチャネルパラメータに対し伝送チャネルに相関する第１伝送リソースを特定するステップは、
前記第３伝送リソースに基づいて、ダウンリンク参照信号の伝送リソースの構成処理を行って前記第１伝送リソースおよび前記第１伝送リソースの構成情報を得るステップを含み、
ここで、前記構成情報は、前記第１伝送リソースの各伝送リソースのアンテナポートと、前記第３伝送リソースの１つまたは複数の伝送リソースのアンテナポートの、１つまたは１組の大規模なチャネルパラメータに対する相関情報を指示することに用いられる大規模なチャネルパラメータ指示情報を含む請求項１に記載の大規模なチャネルパラメータの指示方法。
【請求項６】
前記伝送チャネルに用いられる伝送パラメータに基づいて、前記第２伝送リソースを前記第１伝送リソースから選択するステップは、
前記第１伝送リソースから、前記伝送チャネルの伝送パラメータと同一または相関する伝送リソースを前記第２伝送リソースとして選択するステップを含む請求項１〜５のいずれか一項に記載の大規模なチャネルパラメータの指示方法。
【請求項７】
前記第１伝送リソースから、前記伝送チャネルの伝送パラメータと同一または相関する伝送リソースを前記第２伝送リソースとして選択するステップは、
前記第１伝送リソースから、前記伝送チャネルと同じ送信ビームを使用する伝送リソースを前記第２伝送リソースとして選択するステップを含み、
又は、
前記第１伝送リソースから、前記伝送チャネルの伝送パラメータに相関する伝送リソースを前記第２伝送リソースとして選択するステップは、
前記伝送チャネルに使用される送信ビームと同一ビーム群にある相関送信ビームを特定し、前記第１伝送リソースから、前記相関送信ビームを使用して送信される伝送リソースを前記第２伝送リソースとして選択するステップを含み、
ここで、空間方向角度は、所定範囲内にあり、または、同一ビーム群の中の複数の送信ビームは、同一ビーム群であり、または、同一受信ビームで受信を行う複数の送信ビームは、同一ビーム群である請求項６に記載の大規模なチャネルパラメータの指示方法。
【請求項８】
前記第１シグナリングは、ＭＡＣ制御ユニットのシグナリングであり、
前記第２シグナリングは、ダウンリンク制御情報ＤＣＩであり、
１つの前記大規模なチャネルパラメータは、空間パラメータ、遅延スプレッド、平均遅延、ドップラー周波数オフセット、ドップラースプレッドまたは平均ゲインであり、
１組の前記大規模なチャネルパラメータは、空間パラメータ、遅延スプレッド、平均遅延、ドップラー周波数オフセット、ドップラースプレッドまたは平均ゲインのうちの少なくとも２つを含む請求項１〜７のいずれか一項に記載の大規模なチャネルパラメータの指示方法。
【請求項９】
Ｋ（正整数）個のダウンリンク参照信号の伝送リソースであり、かつ１つまたは１組の大規模なチャネルパラメータに対し伝送チャネルに相関し、基地局から第１シグナリングで送信される第１伝送リソースの構成情報を取得するステップと、
前記基地局によって、前記伝送チャネルに用いられる伝送パラメータに基づいて前記第１伝送リソースから選択され、Ｌ（Ｋ以下の正整数）個のダウンリンク参照信号の伝送リソースであり、前記基地局から第２シグナリングで送信される第２伝送リソースの指示情報を取得するステップと、
前記指示情報および前記第１伝送リソースの構成情報に基づいて、前記伝送チャネルの大規模なパラメータを特定するステップとを含み、
前記基地局から第１シグナリングで送信される前記第１伝送リソースの構成情報を取得するステップの前に、さらに、
前記基地局から第１シグナリングで送信され、Ｎ（Ｋ以上）個のダウンリンク参照信号の伝送リソースである第３伝送リソースを取得するステップと、
所定の品質指標に基づいて、前記第３伝送リソースを測定して測定結果を得、前記基地局が前記測定結果に基づいて前記第３伝送リソースから前記第１伝送リソースを特定するよう、前記測定結果を前記基地局にフィードバックするステップとを含む大規模なチャネルパラメータの特定方法。
【請求項１０】
前記指示情報および前記第１伝送リソースの構成情報に基づいて、前記伝送チャネルの大規模なパラメータを特定するステップの後に、さらに、
前記伝送チャネルの大規模なパラメータに基づいて、前記伝送チャネルの受信ビームを特定するステップを含む請求項９に記載の大規模なチャネルパラメータの特定方法。
【請求項１１】
前記指示情報および前記第１伝送リソースの構成情報に基づいて、前記伝送チャネルの大規模なパラメータを特定するステップは、
前記第１伝送リソースの構成情報に基づいて、前記第１伝送リソースで伝送されるＫ個のダウンリンク参照信号を測定し、前記第１伝送リソースで伝送されるＫ個のダウンリンク参照信号の大規模なチャネルパラメータを特定するステップと、
前記第１伝送リソースにおける前記第２伝送リソースの番号情報および前記Ｋ個のダウンリンク参照信号の大規模なチャネルパラメータに基づいて、Ｋ個のダウンリンク参照信号のうち、Ｌ個のダウンリンク参照信号の大規模なチャネルパラメータを取得するステップと、
前記１つまたは１組の大規模なチャネルパラメータに対し前記Ｌ個のダウンリンク参照信号と前記伝送チャネルの相関情報および前記Ｌ個のダウンリンク参照信号の大規模なチャネルパラメータに基づいて、前記伝送チャネルの大規模なパラメータを特定するステップとを含む請求項９または１０に記載の大規模なチャネルパラメータの特定方法。
【請求項１２】
前記構成情報は、前記第１伝送リソースを所定の組分け基準で組分けした後の組分け情報を含み、
前記所定の組分け基準は、同じ大規模なチャネルパラメータのダウンリンク参照信号の伝送リソースを１組に分けること、または、同一受信ビームで受信を行う伝送リソースを１組に分けること、または、同じチャネル伝送要件を有する伝送リソースを１組に分けることを含み、
前記第１伝送リソースの構成情報に基づいて、前記第１伝送リソースで伝送されるＫ個のダウンリンク参照信号の大規模なチャネルパラメータを特定するステップは、
前記組分け情報に基づいて、前記第１伝送リソースのうち、各組の伝送リソースの大規模なチャネルパラメータを特定するステップを含む請求項１１に記載の大規模なチャネルパラメータの特定方法。
【請求項１３】
１つまたは１組の大規模なチャネルパラメータに対し伝送チャネルに相関し、Ｋ（正整数）個のダウンリンク参照信号の伝送リソースである第１伝送リソースを特定し、前記第１伝送リソースの構成情報を第１シグナリングで端末に送信することに用いられる第１処理モジュールと、
前記伝送チャネルに用いられる伝送パラメータに基づいて、Ｌ（Ｋ以下の正整数）個のダウンリンク参照信号の伝送リソースである第２伝送リソースを前記第１伝送リソースから選択し、前記第２伝送リソースの指示情報を第２シグナリングで前記端末に送信することに用いられる第２処理モジュールと、
Ｎ（Ｋ以上）個のダウンリンク参照信号の伝送リソースである第３伝送リソースを前記端末に対し構成し、前記第３伝送リソースの構成情報を第３シグナリングで前記端末に送信することに用いられる構成モジュールとを含み、
前記第１処理モジュールは、前記第３伝送リソースから前記第１伝送リソースを特定することに用いられ、
ここで、前記第１処理モジュールは、前記端末または基地局自身によって所定の品質指標に基づいて前記第３伝送リソースを測定した測定結果を取得することに用いられる第１取得サブモジュールと、前記測定結果に基づいて、前記第３伝送リソースから前記第１伝送リソースを特定することに用いられる第１特定サブモジュールとを含む基地局。
【請求項１４】
Ｋ（正整数）個のダウンリンク参照信号の伝送リソースであり、かつ１つまたは１組の大規模なチャネルパラメータに対し伝送チャネルに相関し、基地局から第１シグナリングで送信される第１伝送リソースの構成情報を取得することに用いられる第１取得モジュールと、
前記基地局によって、前記伝送チャネルに用いられる伝送パラメータに基づいて前記第１伝送リソースから選択され、Ｌ（Ｋ以下の正整数）個のダウンリンク参照信号の伝送リソースであり、前記基地局から第２シグナリングで送信される第２伝送リソースの指示情報を取得することに用いられる第２取得モジュールと、
前記指示情報および前記第１伝送リソースの構成情報に基づいて、前記伝送チャネルの大規模なパラメータを特定することに用いられる第１特定モジュールと、
基地局から第１シグナリングで送信され、Ｎ（Ｋ以上）個のダウンリンク参照信号の伝送リソースである第３伝送リソースを取得することに用いられる第３取得モジュールと、
所定の品質指標に基づいて、前記第３伝送リソースを測定して測定結果を得、前記基地局が前記測定結果に基づいて前記第３伝送リソースから前記第１伝送リソースを特定するよう、前記測定結果を前記基地局にフィードバックすることに用いられる測定モジュールとを含む端末。
【発明の詳細な説明】
【技術分野】
【０００１】
本願は、２０１７年２月６日に中国特許庁に提出された中国特許出願２０１７１００６５７９７．７の優先権を主張し、その全ての内容が援用によりここに取り込まれる。
本開示の実施例は、通信応用の技術分野に係り、特に大規模なチャネルパラメータの指示方法、特定方法、基地局および端末に係る。
【背景技術】
【０００２】
ピークレートおよびシステムのスペクトル利用率の向上に対するＭＩＭＯ（Ｍｕｌｔｉｐｌｅ−Ｉｎｐｕｔ  Ｍｕｌｔｉｐｌｅ−Ｏｕｔｐｕｔ）の重要な役割に鑑み、ＬＴＥ（Ｌｏｎｇ  Ｔｅｒｍ  Ｅｖｏｌｕｔｉｏｎ）／ＬＴＥ−Ａ（ＬＴＥ−Ａｄｖａｎｃｅｄ）などの無線アクセス技術標準は、いずれもＭＩＭＯ＋ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）技術を基に構築される。ＭＩＭＯ技術の性能ゲインは、マルチアンテナシステムによって取得可能な空間自由度に由来する。よって、ＭＩＭＯ技術の標準化の発展過程における最も重要な進化方向は、次元の拡張である。
【０００３】
ＬＴＥ  Ｒｅｌ−８において、最多で４層のＭＩＭＯ伝送がサポートされる。Ｒｅｌ−９において、ＭＵ−ＭＩＭＯ（Ｍｕｌｔｉ−Ｕｓｅｒ  ＭＩＭＯ）技術の強化がポイントであり、ＴＭ（Ｔｒａｎｓｍｉｓｓｉｏｎ  Ｍｏｄｅ）−８のＭＵ−ＭＩＭＯ伝送では、最多で４つのダウンリンクデータ層がサポートされる。Ｒｅｌ−１０において、８アンテナポートをサポートすることを導入してチャネル状態情報の空間解析度をさらに向上させ、ＳＵ−ＭＩＭＯ（Ｓｉｎｇｌｅ−Ｕｓｅｒ  ＭＩＭＯ）の伝送能力を最多８つのデータ層まで拡張させる。Ｒｅｌ−１３とＲｅｌ−１４において、ＦＤ−ＭＩＭＯ技術の導入によって３２ポートまでサポートし、全次元および垂直方向のビームフォーミングが実現される。
【０００４】
ＭＩＭＯ技術の更なる向上のために、移動通信システムには大規模なアンテナ技術が導入される。基地局にとって、フルデジタル化の大規模なアンテナは、１２８／２５６／５１２ものアンテナ素子および１２８／２５６／５１２もの送受信機を有し、各アンテナ素子が１つの送受信機に接続される。１２８／２５６／５１２ものアンテナポートのパイロット信号を送信することによって、端末は、チャネル状態情報を測定してフィードバックする。端末にとって、３２／６４ものアンテナ素子のアンテナアレイを構成してもよい。基地局と端末の両方のビームフォーミングによって、巨大なビームフォーミングゲインを取得して経路損失による信号減衰を補う。特に高周波数帯域の通信において、たとえば３０ＧＨｚの周波数点では、経路損失によって無線信号のカバレッジが大きく限定される。大規模なアンテナ技術によって、無線信号のカバレッジを実用可能な範囲内に拡大させることができる。
【０００５】
フルデジタルアンテナアレイの各アンテナ素子には独立な送受信機を有することによって、機器のサイズ、コストおよび電力損失は、大幅に上昇する。特に送受信機のアナログデジタルコンバータ（ＡＤＣ）とデジタルアナログコンバータ（ＤＡＣ）にとって、電力損失の低下および性能の向上は比較的限られる。機器のサイズ、コストおよび電力損失を低下させるには、アナログビームフォーミングに基づく技術手段が提案される。アナログビームフォーミング性能をさらに向上させるには、デジタルアナログ混合型ビームフォーミング送受信アーキテクチャが提案される。混合型ビームフォーミング構造は、デジタルビームフォーミングの柔軟性とアナログビームフォーミングの低複雑度の間でバランスを取る。
【０００６】
アナログビームフォーミングとデジタルアナログ混合型ビームフォーミングのいずれも、送受信の両方のアナログビームフォーミングの重み値を調整する必要があり、それによって、形成されるビームは、通信の相手側に向けられる。しかし、従来技術において、データ伝送の前に、受信側において、ダウンリンク受信に関する大規模なチャネルパラメータ、たとえば空間パラメータを特定することが難しく、合理的な受信ビームを設定することができず、端末の受信の信頼性を低下させる。
【発明の概要】
【０００７】
本開示の実施例は、受信側においてダウンリンク受信に関する大規模なチャネルパラメータを特定できないという従来技術の技術的問題を解決するために、大規模なチャネルパラメータの指示方法、特定方法、基地局および端末を提供することを目的とする。
【０００８】
上記目的を実現するために、第１の態様において、本開示の実施例は、大規模なチャネルパラメータの指示方法を提供する。当該方法は、１つまたは１組の大規模なチャネルパラメータに対し伝送チャネルに相関し、Ｋ（正整数）個のダウンリンク参照信号の伝送リソースである第１伝送リソースを特定し、前記第１伝送リソースの構成情報を第１シグナリングで端末に送信するステップと、前記伝送チャネルに用いられる伝送パラメータに基づいて、Ｌ（Ｋ以下の正整数）個のダウンリンク参照信号の伝送リソースである第２伝送リソースを前記第１伝送リソースから選択し、前記第２伝送リソースの指示情報を第２シグナリングで前記端末に送信するステップとを含む。
【０００９】
ここで、前記指示情報は、前記第１伝送リソースにおける前記第２伝送リソースの番号情報を含む。
【００１０】
ここで、前記構成情報は、前記第１伝送リソースを所定の組分け基準で組分けした後の組分け情報を含み、前記所定の組分け基準は、同じ大規模なチャネルパラメータのダウンリンク参照信号の伝送リソースを１組に分けること、または、同一の受信ビームで受信を行う伝送リソースを１組に分けること、または、同じチャネル伝送要件を有する伝送リソースを１組に分けることを含む。
【００１１】
ここで、１つまたは１組の大規模なチャネルパラメータに対し伝送チャネルに相関する第１伝送リソースを特定するステップの前に、さらに、Ｎ（Ｋ以上）個のダウンリンク参照信号の伝送リソースである第３伝送リソースを前記端末に対し構成し、前記第３伝送リソースの構成情報を第３シグナリングで前記端末に送信するステップを含む。
【００１２】
ここで、前記１つまたは１組の大規模なチャネルパラメータに対し伝送チャネルに相関する第１伝送リソースを特定するステップは、前記第３伝送リソースから前記第１伝送リソースを特定するステップを含む。
【００１３】
ここで、前記第３伝送リソースから前記第１伝送リソースを特定するステップは、前記端末または基地局自身によって所定の品質指標に基づいて前記第３伝送リソースを測定した測定結果を取得するステップと、前記測定結果に基づいて、前記第３伝送リソースから前記第１伝送リソースを特定するステップとを含む。
【００１４】
ここで、前記測定結果に基づいて、前記第３伝送リソースから前記第１伝送リソースを特定するステップは、前記第３伝送リソースの測定結果を高い順にソートしてソートリストを得るステップと、前記ソートリストの中の前からＫ個の測定結果に対応するダウンリンク参照信号の伝送リソースを前記第１伝送リソースとして特定するステップとを含む。
【００１５】
ここで、前記測定結果に基づいて、前記第３伝送リソースから前記第１伝送リソースを特定するステップは、前記測定結果に基づいて、最適なダウンリンク参照信号の伝送リソースに用いられる第１送信ビームを特定するステップと、前記第１送信ビームに隣接し、前記第１送信ビームとの空間方向角度の差が所定範囲内にあるＫ個の第２送信ビームを特定するステップと、前記Ｋ個の第２送信ビームに対応するＫ個のダウンリンク参照信号の伝送リソースを前記第１伝送リソースとして特定するステップとを含む。
【００１６】
ここで、１つまたは１組の大規模なチャネルパラメータに対し伝送チャネルに相関する第１伝送リソースを特定するステップは、前記第３伝送リソースに基づいて、ダウンリンク参照信号の伝送リソースの構成処理を行って前記第１伝送リソースおよび前記第１伝送リソースの構成情報を得るステップを含み、ここで、前記構成情報は、前記第１伝送リソースの各伝送リソースのアンテナポートと、前記第３伝送リソースの１つまたは複数の伝送リソースのアンテナポートの、１つまたは１組の大規模なチャネルパラメータに対する相関情報を指示することに用いられる大規模なチャネルパラメータ指示情報を含む。
【００１７】
ここで、前記伝送チャネルに用いられる伝送パラメータに基づいて、第２伝送リソースを前記第１伝送リソースから選択するステップは、前記第１伝送リソースから、前記伝送チャネルの伝送パラメータと同一または相関する伝送リソースを前記第２伝送リソースとして選択するステップを含む。
【００１８】
ここで、前記第１伝送リソースから、前記伝送チャネルの伝送パラメータと同一または相関する伝送リソースを前記第２伝送リソースとして選択するステップは、前記第１伝送リソースから、前記伝送チャネルと同じ送信ビームを使用する伝送リソースを前記第２伝送リソースとして選択するステップを含む。
【００１９】
ここで、前記第１伝送リソースから、前記伝送チャネルの伝送パラメータに相関する伝送リソースを前記第２伝送リソースとして選択するステップは、前記伝送チャネルに使用される送信ビームと同一ビーム群にある相関送信ビームを特定し、前記第１伝送リソースから、前記相関送信ビームを使用して送信される伝送リソースを前記第２伝送リソースとして選択し、ここで、空間方向角度は、所定範囲内にあり、または、同一ビーム群の中の複数の送信ビームは、同一ビーム群であり、または、同一受信ビームで受信を行う複数の送信ビームは、同一ビーム群である。
【００２０】
ここで、前記第１シグナリングは、ＭＡＣ制御ユニットのシグナリングであり、前記第２シグナリングは、ダウンリンク制御情報ＤＣＩである。
【００２１】
ここで、１つの前記大規模なチャネルパラメータは、空間パラメータ、遅延スプレッド、平均遅延、ドップラー周波数オフセット、ドップラースプレッドまたは平均ゲインであり、１組の前記大規模なチャネルパラメータは、空間パラメータ、遅延スプレッド、平均遅延、ドップラー周波数オフセット、ドップラースプレッドまたは平均ゲインのうちの少なくとも２つを含む。
【００２２】
上記目的を実現するために、第２の態様において、本開示の実施例は、大規模なチャネルパラメータの特定方法を提供する。当該方法において、Ｋ（正整数）個のダウンリンク参照信号の伝送リソースであり、かつ１つまたは１組の大規模なチャネルパラメータに対し伝送チャネルに相関し、基地局から第１シグナリングで送信される第１伝送リソースの構成情報を取得するステップと、前記基地局によって、前記伝送チャネルに用いられる伝送パラメータに基づいて前記第１伝送リソースから選択され、Ｌ（Ｋ以下の正整数）個のダウンリンク参照信号の伝送リソースであり、前記基地局から第２シグナリングで送信される第２伝送リソースの指示情報を取得するステップと、前記指示情報および前記第１伝送リソースの構成情報に基づいて、前記伝送チャネルの大規模なパラメータを特定するステップとを含む。
【００２３】
ここで、前記指示情報および前記第１伝送リソースの構成情報に基づいて、前記伝送チャネルの大規模なパラメータを特定するステップの後に、さらに、前記伝送チャネルの大規模なパラメータに基づいて、前記伝送チャネルの受信ビームを特定するステップを含む。
【００２４】
ここで、前記指示情報および前記第１伝送リソースの構成情報に基づいて、前記伝送チャネルの大規模なパラメータを特定するステップは、前記第１伝送リソースの構成情報に基づいて、前記第１伝送リソースで伝送されるＫ個のダウンリンク参照信号を測定し、前記第１伝送リソースで伝送されるＫ個のダウンリンク参照信号の大規模なチャネルパラメータを特定するステップと、前記第１伝送リソースにおける前記第２伝送リソースの番号情報および前記Ｋ個のダウンリンク参照信号の大規模なチャネルパラメータに基づいて、Ｋ個のダウンリンク参照信号のうち、Ｌ個のダウンリンク参照信号の大規模なチャネルパラメータを取得するステップと、１つまたは１組の大規模なチャネルパラメータに対し前記Ｌ個のダウンリンク参照信号と前記伝送チャネルの相関情報および前記Ｌ個のダウンリンク参照信号の大規模なチャネルパラメータに基づいて、前記伝送チャネルの大規模なパラメータを特定するステップとを含む。
【００２５】
ここで、前記構成情報は、前記第１伝送リソースを所定の組分け基準で組分けした後の組分け情報を含み、前記所定の組分け基準は、同じ大規模なチャネルパラメータのダウンリンク参照信号の伝送リソースを１組に分けること、または、同一受信ビームで受信を行う伝送リソースを１組に分けること、または、同じチャネル伝送要件を有する伝送リソースを１組に分けることを含む。前記第１伝送リソースの構成情報に基づいて、前記第１伝送リソースで伝送されるＫ個のダウンリンク参照信号の大規模なチャネルパラメータを特定するステップは、前記組分け情報に基づいて、前記第１伝送リソースのうち、各組の伝送リソースの大規模なチャネルパラメータを特定するステップを含む。
【００２６】
ここで、基地局から第１シグナリングで送信される第１伝送リソースの構成情報を取得するステップの前に、さらに、基地局から第１シグナリングで送信され、Ｎ（Ｋ以上）個のダウンリンク参照信号の伝送リソースである第３伝送リソースを取得するステップと、所定の品質指標に基づいて、前記第３伝送リソースを測定して測定結果を得、前記基地局が前記測定結果に基づいて前記第３伝送リソースから前記第１伝送リソースを特定するよう、前記測定結果を前記基地局にフィードバックするステップとを含む。
【００２７】
上記目的を実現するために、第３の態様において、本開示の実施例は、基地局を提供する。当該基地局は、１つまたは１組の大規模なチャネルパラメータに対し伝送チャネルに相関し、Ｋ（正整数）個のダウンリンク参照信号の伝送リソースである第１伝送リソースを特定し、前記第１伝送リソースの構成情報を第１シグナリングで端末に送信することに用いられる第１処理モジュールと、前記伝送チャネルに用いられる伝送パラメータに基づいて、Ｌ（Ｋ以下の正整数）個のダウンリンク参照信号の伝送リソースである第２伝送リソースを前記第１伝送リソースから選択し、前記第２伝送リソースの指示情報を第２シグナリングで前記端末に送信することに用いられる第２処理モジュールとを含む。
【００２８】
ここで、前記指示情報は、前記第１伝送リソースにおける前記第２伝送リソースの番号情報を含む。
【００２９】
ここで、前記構成情報は、前記第１伝送リソースを所定の組分け基準で組分けした後の組分け情報を含み、前記所定の組分け基準は、同じ大規模なチャネルパラメータのダウンリンク参照信号の伝送リソースを１組に分けること、または、同一受信ビームで受信を行う伝送リソースを１組に分けること、または、同じチャネル伝送要件を有する伝送リソースを１組に分けることを含む。
【００３０】
ここで、前記基地局は、Ｎ（Ｋ以上）個のダウンリンク参照信号の伝送リソースである第３伝送リソースを前記端末に対し構成し、前記第３伝送リソースの構成情報を第３シグナリングで前記端末に送信することに用いられる構成モジュールをさらにを含む。
【００３１】
ここで、前記第１処理モジュールは、前記第３伝送リソースから前記第１伝送リソースを特定することに用いられる。
【００３２】
ここで、前記第１処理モジュールは、前記端末または基地局自身によって所定の品質指標に基づいて前記第３伝送リソースを測定した測定結果を取得することに用いられる第１取得サブモジュールと、前記測定結果に基づいて、前記第３伝送リソースから前記第１伝送リソースを特定することに用いられる第１特定サブモジュールとを含む。
【００３３】
ここで、前記第１特定サブモジュールは、前記第３伝送リソースの測定結果を高い順にソートしてソートリストを得ることに用いられるソートユニットと、前記ソートリストの中の前からＫ個の測定結果に対応するダウンリンク参照信号の伝送リソースを前記第１伝送リソースとして特定することに用いられる第１特定ユニットとを含む。
【００３４】
ここで、前記第１特定サブモジュールは、前記測定結果に基づいて、最適なダウンリンク参照信号の伝送リソースに用いられる第１送信ビームを特定することに用いられる第２特定ユニットと、前記第１送信ビームに隣接し、前記第１送信ビームとの空間方向角度の差が所定範囲内にあるＫ個の第２送信ビームを特定することに用いられる第３特定ユニットと、前記Ｋ個の第２送信ビームに対応するＫ個のダウンリンク参照信号の伝送リソースを前記第１伝送リソースとして特定することに用いられる第４特定ユニットとを含む。
【００３５】
ここで、前記第１処理モジュールは、さらに、前記第３伝送リソースに基づいて、ＭＡＣ制御ユニットによってダウンリンク参照信号の伝送リソースの構成処理を行って前記第１伝送リソースおよび前記第１伝送リソースの構成情報を得ることに用いられ、ここで、前記構成情報は、前記第１伝送リソースの各伝送リソースのアンテナポートと、前記第３伝送リソースの１つまたは複数の伝送リソースのアンテナポートの、１つまたは１組の大規模なチャネルパラメータに対する相関情報を指示することに用いられる大規模なチャネルパラメータ指示情報を含む。
【００３６】
ここで、前記第２処理モジュールは、前記第１伝送リソースから、前記伝送チャネルの伝送パラメータと同一または相関する伝送リソースを前記第２伝送リソースとして選択することに用いられる。
【００３７】
ここで、前記第２処理モジュールは、前記第１伝送リソースから、前記伝送チャネルと同じ送信ビームを使用する伝送リソースを前記第２伝送リソースとして選択することに用いられる第１選択サブモジュールを含む。
【００３８】
ここで、前記第２処理モジュールは、前記伝送チャネルに使用される送信ビームと同一ビーム群にある相関送信ビームを特定し、前記第１伝送リソースから、前記相関送信ビームを使用して送信される伝送リソースを前記第２伝送リソースとして選択することに用いられる第２選択サブモジュールを含み、ここで、空間方向角度は、所定範囲内にあり、または、同一ビーム群の中の複数の送信ビームは、同一ビーム群であり、または、同一受信ビームで受信を行う複数の送信ビームは、同一ビーム群である。
【００３９】
ここで、前記第１シグナリングは、ＭＡＣ制御ユニットのシグナリングであり、前記第２シグナリングは、ダウンリンク制御情報ＤＣＩである。
【００４０】
ここで、１つの前記大規模なチャネルパラメータは、空間パラメータ、遅延スプレッド、平均遅延、ドップラー周波数オフセット、ドップラースプレッドまたは平均ゲインであり、１組の前記大規模なチャネルパラメータは、空間パラメータ、遅延スプレッド、平均遅延、ドップラー周波数オフセット、ドップラースプレッドまたは平均ゲインのうちの少なくとも２つを含む。
【００４１】
上記目的を実現するために、第４の態様において、本開示の実施例は、端末を提供する。当該端末は、Ｋ（正整数）個のダウンリンク参照信号の伝送リソースであり、かつ１つまたは１組の大規模なチャネルパラメータに対し伝送チャネルに相関し、基地局から第１シグナリングで送信される第１伝送リソースの構成情報を取得することに用いられる第１取得モジュールと、前記基地局によって、前記伝送チャネルに用いられる伝送パラメータに基づいて前記第１伝送リソースから選択され、Ｌ（Ｋ以下の正整数）個のダウンリンク参照信号の伝送リソースであり、前記基地局から第２シグナリングで送信される第２伝送リソースの指示情報を取得することに用いられる第２取得モジュールと、前記指示情報および前記第１伝送リソースの構成情報に基づいて、前記伝送チャネルの大規模なパラメータを特定することに用いられる第１特定モジュールとを含む。
【００４２】
ここで、前記端末は、前記伝送チャネルの大規模なパラメータに基づいて、前記伝送チャネルの受信ビームを特定することに用いられる第２特定モジュールをさらにを含む。
【００４３】
ここで、前記第１特定モジュールは、
前記第１伝送リソースの構成情報に基づいて、前記第１伝送リソースで伝送されるＫ個のダウンリンク参照信号を測定し、前記第１伝送リソースで伝送されるＫ個のダウンリンク参照信号の大規模なチャネルパラメータを特定することに用いられる第２特定サブモジュールと、前記第１伝送リソースにおける前記第２伝送リソースの番号情報および前記Ｋ個のダウンリンク参照信号の大規模なチャネルパラメータに基づいて、Ｋ個のダウンリンク参照信号のうち、Ｌ個のダウンリンク参照信号の大規模なチャネルパラメータを取得することに用いられる第２取得サブモジュールと、１つまたは１組の大規模なチャネルパラメータに対し前記Ｌ個のダウンリンク参照信号と前記伝送チャネルの相関情報および前記Ｌ個のダウンリンク参照信号の大規模なチャネルパラメータに基づいて、前記伝送チャネルの大規模なパラメータを特定することに用いられる第３特定サブモジュールとを含む。
【００４４】
ここで、前記構成情報は、前記第１伝送リソースを所定の組分け基準で組分けした後の組分け情報を含み、前記所定の組分け基準は、同じ大規模なチャネルパラメータのダウンリンク参照信号の伝送リソースを１組に分けること、または、同一受信ビームで受信を行う伝送リソースを１組に分けること、または、同じチャネル伝送要件を有する伝送リソースを１組に分けることを含む。前記第１特定モジュールは、前記組分け情報に基づいて、前記第１伝送リソースのうち、各組の伝送リソースの大規模なチャネルパラメータを特定することに用いられる。
【００４５】
ここで、前記端末は、基地局から第１シグナリングで送信され、Ｎ（Ｋ以上）個のダウンリンク参照信号の伝送リソースである第３伝送リソースを取得することに用いられる第３取得モジュールと、所定の品質指標に基づいて、前記第３伝送リソースを測定して測定結果を得、前記基地局が前記測定結果に基づいて前記第３伝送リソースから前記第１伝送リソースを特定するよう、前記測定結果を前記基地局にフィードバックすることに用いられる測定モジュールとをさらに含む。
【００４６】
上記目的を実現するために、第５の態様において、本開示の実施例は、ネットワーク側機器を提供する。当該ネットワーク側機器は、プロセッサと、メモリと、前記メモリに記憶されて前記プロセッサで実行可能なコンピュータプログラムとを含み、前記コンピュータプログラムが前記プロセッサによって実行されると、第１の態様に記載の大規模なチャネルパラメータの指示方法のステップが実行される。
【００４７】
上記目的を実現するために、第６の態様において、本開示の実施例は、端末側機器を提供する。当該端末側機器は、プロセッサと、メモリと、前記メモリに記憶されて前記プロセッサで実行可能なコンピュータプログラムとを含み、前記コンピュータプログラムが前記プロセッサによって実行されると、第２の態様に記載の大規模なチャネルパラメータの特定方法のステップが実行される。
【００４８】
上記目的を実現するために、第７の態様において、本開示の実施例は、コンピュータプログラムが記憶されているコンピュータ読み取り可能な記憶媒体を提供し、前記コンピュータプログラムがプロセッサによって実行されると、第１の態様に記載の大規模なチャネルパラメータの指示方法のステップが実行される。
【００４９】
上記目的を実現するために、第８の態様において、本開示の実施例は、コンピュータプログラムが記憶されているコンピュータ読み取り可能な記憶媒体を提供し、前記コンピュータプログラムがプロセッサによって実行されると、第２の態様に記載の大規模なチャネルパラメータの特定方法のステップが実行される。
【００５０】
本開示の実施例の上記技術手段において、基地局は、１つまたは１組の大規模なチャネルパラメータに対し伝送チャネルに相関し、Ｋ個のダウンリンク参照信号の伝送リソースである第１伝送リソースを特定し、前記第１伝送リソースの構成情報を第１シグナリングで端末に送信し、伝送チャネルに用いられる伝送パラメータに基づいて、Ｌ個のダウンリンク参照信号の伝送リソースである第２伝送リソースを前記第１伝送リソースから選択し、第２伝送リソースの指示情報を第２シグナリングで前記端末に送信する。よって、前記端末は、前記指示情報および前記第１伝送リソースの構成情報に基づいて、前記伝送チャネルの大規模なパラメータを特定し、さらに、当該伝送チャネルの大規模なパラメータに基づいて、対応する受信ビームを特定し、端末による受信の信頼性を向上させる。
【図面の簡単な説明】
【００５１】
本開示の実施例や従来技術の技術手段をより明確に説明するために、以下、実施例の記載に必要とされる図面を簡単に紹介する。明らかに、以下の記載に関する図面は、単に本開示の一部の実施例である。当業者にとって、創造性のある作業をしない前提で、これらの図面から他の図面を得ることもできる。
【００５２】
【図１】図１は、本開示の実施例の大規模なチャネルパラメータの指示方法の第１フローチャートである。
【図２】図２は、本開示の実施例の大規模なチャネルパラメータの指示方法の第２フローチャートである。
【図３】図３は、本開示の実施例の大規模なチャネルパラメータの指示方法の第３フローチャートである。
【図４】図４は、本開示の実施例の大規模なチャネルパラメータの特定方法のフローチャートである。
【図５】図５は、本開示の実施例の基地局の第１構造ブロック図である。
【図６】図６は、本開示の実施例の基地局の第２構造ブロック図である。
【図７】図７は、本開示の実施例の基地局の第３構造ブロック図である。
【図８】図８は、本開示の実施例の端末の第１構造ブロック図である。
【図９】図９は、本開示の実施例の端末の第２構造ブロック図である。
【図１０】図１０は、本開示の実施例の端末の第３構造ブロック図である。
【発明を実施するための形態】
【００５３】
本開示の解決しようとする技術的課題、技術手段及び利点をより明確にするために、以下、具体的な実施例および添付図面を参照しながら詳細に記載する。
【００５４】
本開示の実施例は、受信側においてダウンリンク受信に関する大規模なチャネルパラメータを特定できないという従来技術の問題を解決した大規模なチャネルパラメータの指示方法、特定方法、基地局および端末を提供する。
実施例１
【００５５】
図１に示すように、本開示の実施例は、基地局に応用される大規模なチャネルパラメータの指示方法を提供し、以下のステップを含む。
【００５６】
ステップ１０１において、１つまたは１組の大規模なチャネルパラメータに対し伝送チャネルに相関し、Ｋ（正整数）個のダウンリンク参照信号の伝送リソースである第１伝送リソースを特定し、前記第１伝送リソースの構成情報を第１シグナリングで端末に送信する。
【００５７】
ここで、１つの大規模なチャネルパラメータは、空間パラメータ、遅延スプレッド、平均遅延、ドップラー周波数オフセット、ドップラースプレッドまたは平均ゲインなどであり、１組の前記大規模なチャネルパラメータは、空間パラメータ、遅延スプレッド、平均遅延、ドップラー周波数オフセット、ドップラースプレッドまたは平均ゲインのうちの少なくとも２つを含む。当該第１シグナリングは、具体的に、ＭＡＣ制御ユニットの活性化シグナリングである。Ｋは、基地局によってシステムのオーバーヘッド要求および端末の能力に基づいて決められる。上記第１シグナリングは、ＭＡＣ制御ユニットのシグナリングである。
【００５８】
上記の１つまたは１組の大規模なチャネルパラメータに対し伝送チャネルに相関する第１伝送リソースは、具体的に、第１伝送リソースと伝送チャネルとは同一の大規模なチャネルパラメータまたは同一組の大規模なチャネルパラメータが相関することを指す。たとえば、第１伝送リソースと伝送チャネルの同一の空間パラメータは、準同一位置ＱＣＬである。
【００５９】
上記第１伝送リソースは、具体的に、１つまたは１組の大規模なチャネルパラメータに対し伝送チャネルとは準同一位置のリソースである。
【００６０】
上記構成情報は、ダウンリンク参照信号のアンテナポートで伝送される時間周波数リソース、シーケンス構成情報などを含む。各ダウンリンク参照信号の伝送リソースは、Ｐ個のダウンリンク参照信号のアンテナポートを含む。たとえば、Ｐは、１または２またはほかの値である。Ｐの値は、基地局によってシグナリングで構成される。すなわち基地局は、各ダウンリンク参照信号の伝送リソースにＰの値を設定し、その値を当該ダウンリンク参照信号の伝送リソースの構成情報で端末に送信する。Ｐの値は、一定値であってもよく、たとえばプロトコルでＰ＝１と取り決められる。
【００６１】
各ダウンリンク参照信号の伝送リソースは、１つの送信ビームで送信され、異なるダウンリンク参照信号の伝送リソースに対応する送信ビームは、異なってもよい。
【００６２】
ここで、第１伝送リソースの構成情報を端末に送信することによって、端末は、当該構成情報に基づいて、第１伝送リソースで伝送されるＫ個のダウンリンク参照信号の大規模なチャネルパラメータを特定する。
【００６３】
ステップ１０２において、前記伝送チャネルに用いられる伝送パラメータに基づいて、Ｌ（Ｋ以下の正整数）個のダウンリンク参照信号の伝送リソースである第２伝送リソースを前記第１伝送リソースから選択し、前記第２伝送リソースの指示情報を第２シグナリングで前記端末に送信する。
【００６４】
ここの指示情報は、具体的に、前記第１伝送リソースにおける前記第２伝送リソースの番号情報を含む。上記第２シグナリングは、具体的に、ダウンリンク制御情報ＤＣＩである。上記伝送パラメータは、具体的に送信ビームまたは送信の伝送ポイントである。
【００６５】
当該ステップにおいて、指示情報を端末に送信することによって、端末は、前記指示情報および前記Ｋ個のダウンリンク参照信号の大規模なチャネルパラメータに基づいて、Ｋ個のダウンリンク参照信号のうち、Ｌ個のダウンリンク参照信号の大規模なチャネルパラメータを取得する。
【００６６】
本開示の実施例の大規模なチャネルパラメータの指示方法において、基地局は、１つまたは１組の大規模なチャネルパラメータに対し伝送チャネルに相関し、Ｋ個のダウンリンク参照信号の伝送リソースである第１伝送リソースを特定し、前記第１伝送リソースの構成情報を第１シグナリングで端末に送信し、伝送チャネルに用いられる伝送パラメータに基づいて、Ｌ個のダウンリンク参照信号の伝送リソースである第２伝送リソースを前記第１伝送リソースから選択し、第２伝送リソースの指示情報を第２シグナリングで前記端末に送信する。よって、前記端末は、前記指示情報および前記第１伝送リソースの構成情報に基づいて、前記伝送チャネルの大規模なパラメータを特定し、さらに、当該伝送チャネルの大規模なパラメータに基づいて、対応する受信ビームを特定し、端末による受信の信頼性を向上させる。
実施例２
【００６７】
図２に示すように、本開示の実施例の大規模なチャネルパラメータの指示方法は、基地局に応用され、以下のステップを含む。
【００６８】
ステップ２０１において、Ｎ（Ｋ以上）個のダウンリンク参照信号の伝送リソースである第３伝送リソースを前記端末に対し構成し、前記第３伝送リソースの構成情報を第３シグナリングで前記端末に送信する。
【００６９】
具体的に、基地局は、Ｎ個のダウンリンク参照信号の伝送リソースをシグナリングで端末に対し構成し、当該ダウンリンク参照信号が具体的にチャネル状態情報参照信号ＣＳＩ−ＲＳである。各ダウンリンク参照信号の伝送リソースの構成情報は、１組のダウンリンク参照信号のポートで伝送される時間周波数リソース、ダウンリンク参照信号のシーケンス構成情報などを含む。ここのシグナリングは、ハイレイヤシグナリングまたはブロードキャストメッセージである。
【００７０】
上記ダウンリンク参照信号をＣＳＩ−ＲＳとすると、上記Ｎ個のＣＳＩ−ＲＳリソースは、ビーム管理プロセス用のすべてのＣＳＩ−ＲＳ伝送リソースを含み、かつ上記ＣＳＩ−ＲＳ伝送リソースがＣＳＩ−ＲＳポート群、またはＣＳＩ−ＲＳポートに置換され、後続の方法も同様に適用する。
【００７１】
さらに、各ＣＳＩ−ＲＳ伝送リソースは、Ｐ個のＣＳＩ−ＲＳポートを含む。たとえば、Ｐは、１または２またはほかの値である。Ｐの値は、基地局によってシグナリングで構成される。すなわち基地局は、各ＣＳＩ−ＲＳ伝送リソースにＰの値を設定し、その値をＣＳＩ−ＲＳ伝送リソースの構成情報で端末に送信する。Ｐの値は、一定値であってもよく、たとえばプロトコルでＰ＝１と取り決められる。
【００７２】
各ＣＳＩ−ＲＳ伝送リソースは、１つの送信ビームで送信され、異なるＣＳＩ−ＲＳリソースに対応する送信ビームは、異なってもよい。
【００７３】
当該ステップにおいて、ビーム管理プロセスにおける全てのダウンリンク参照信号リソースであるＮ個のダウンリンク参照信号の伝送リソースを構成することによって、端末は、伝送チャネルの大規模なチャネルパラメータをより全面的に取得することができる。
【００７４】
ステップ２０２において、前記第３伝送リソースから第１伝送リソースを特定し、前記第１伝送リソースの構成情報を第１シグナリングで端末に送信する。前記第１伝送リソースは、Ｋ（正整数）個のダウンリンク参照信号の伝送リソースである。
【００７５】
具体的に以下の実現方式で実現される。
前記端末または基地局自身によって所定の品質指標に基づいて前記第３伝送リソースを測定した測定結果を取得し、前記測定結果に基づいて、前記第３伝送リソースから前記第１伝送リソースを特定する。
【００７６】
さらに、前記第３伝送リソースの測定結果を高い順にソートしてソートリストを得、前記ソートリストの中の前からＫ個の測定結果に対応するダウンリンク参照信号の伝送リソースを前記第１伝送リソースとして特定する。
【００７７】
または、前記測定結果に基づいて、最適なダウンリンク参照信号の伝送リソースに用いられる第１送信ビームを特定し、前記第１送信ビームに隣接し、前記第１送信ビームとの空間方向角度の差が所定範囲内にあるＫ個の第２送信ビームを特定し、前記Ｋ個の第２送信ビームに対応するＫ個のダウンリンク参照信号の伝送リソースを前記第１伝送リソースとして特定する。
【００７８】
基地局は、大規模なチャネルパラメータの追跡を行うために、第３伝送リソースからＫ個のダウンリンク参照信号の伝送リソースを活性化する。当該実現方式において、仮に上記ダウンリンク参照信号がＣＳＩ−ＲＳであり、大規模なチャネルパラメータが空間パラメータであると、基地局は、端末からの測定報告または自ら行った測定に基づいて、活性化される必要のあるＣＳＩ−ＲＳ伝送リソースを特定する。ここで、あるＣＳＩ−ＲＳ伝送リソースが活性化されると、当該ＣＳＩ−ＲＳ伝送リソースは、第１伝送リソースに属し、すべての活性化されたＣＳＩ−ＲＳ伝送リソースで第１伝送リソースを構成する。たとえば、基地局から端末に対しＮ個のＣＳＩ−ＲＳ伝送リソースを構成し、各ＣＳＩ−ＲＳ伝送リソースで伝送されるＣＳＩ−ＲＳは、１つのビームで送信される。端末は、Ｎ個のＣＳＩ−ＲＳ伝送リソースを測定して最適な品質のＱ個のＣＳＩ−ＲＳ伝送リソースを選択し、Ｑ個のＣＳＩ−ＲＳ伝送リソースのＩＤおよびその品質指標を基地局にフィードバックする。品質指標は、参照信号受信電力（ＲＳＲＰ）またはチャネル状態情報（ＣＳＩ）などである。基地局は、端末からフィードバックされる情報を受信し、それに基づいて、活性化される必要のあるＣＳＩ−ＲＳ伝送リソースを特定する。たとえば、端末から報告されるＱ個のＣＳＩ−ＲＳリソースを活性化し、この場合、Ｋ＝Ｑである。または、最適な品質の１つのＣＳＩ−ＲＳ伝送リソースのビームの周囲に隣接するＫ個のビームで伝送されるＣＳＩ−ＲＳリソースを活性化する。この場合、Ｋは、基地局によってシステムのオーバーヘッド要求および端末の能力に基づいて決められ、かつ隣接ビームとは、ビームの空間方向角度が隣接することを指す。空間方向角度が隣接することとは、両者の空間方向角度の差が所定範囲内にあることを指す。
【００７９】
また、上記実現方式において、基地局は、ＭＡＣ  ＣＥ制御ユニットによってＮ個のＣＳＩ−ＲＳリソースのうちＫ（Ｎ以下）個のＣＳＩ−ＲＳ伝送リソースを活性化する（Ａｃｔｉｖａｔｅ）。活性化シグナリングの効力が生じると、端末は、活性化されたＫ個のＣＳＩ−ＲＳ伝送リソースに基づいて空間パラメータの追跡を開始し、Ｋ個のＣＳＩ−ＲＳ伝送リソースの空間パラメータ追跡を維持して対応する空間パラメータを保存する。
【００８０】
Ｋ個のＣＳＩ−ＲＳ伝送リソースは、周期性または半持続性である。半持続性のＣＳＩ−ＲＳリソースの場合、ＣＳＩ−ＲＳの伝送は、活性化シグナリングとバインディングされる。すなわちＣＳＩ−ＲＳは、活性化されてから伝送され始め、非活性化の後に伝送が停止する。半持続性のＣＳＩ−ＲＳリソースの場合、ＣＳＩ−ＲＳの伝送は、活性化シグナリングから独立されてもよい。すなわち、ＣＳＩ−ＲＳの伝送の開始と停止は、ほかの独立なシグナリングによって制御される。
【００８１】
活性化と非活性化（Ｄｅａｃｔｉｖａｔｅ）は、インクリメントの方式であってもよい。すなわち、現在、活性化されたＣＳＩ−ＲＳリソースがＭ１個あり、基地局からＭＡＣ  ＣＥによってＭ２個のリソースを活性化した場合、活性化シグナリングの効力が生じた後に活性化されるＣＳＩ−ＲＳリソースは、現在のＭ１個の活性化されたＣＳＩ−ＲＳリソースおよび新規追加したＭ２個のＣＳＩ−ＲＳリソースの計Ｍ１＋Ｍ２個（両者に重複しないとする）を含む。現在、活性化されたＣＳＩ−ＲＳリソースがＭ１個あり、基地局からＭＡＣによってそのうちのＭ３個のリソースを非活性化にした場合、非活性化シグナリングの効力が生じた後に活性化されるＣＳＩ−ＲＳリソースは、現在の活性化されたＣＳＩ−ＲＳリソースから非活性化したＭ３個のＣＳＩ−ＲＳリソースを除いた計Ｍ１−Ｍ３個を含む。
【００８２】
活性化と非活性化は、絶対量の方式であってもよい。すなわち１つの活性化シグナリングの効力が生じた後に、活性化されるＣＳＩ−ＲＳ伝送リソースは、効力が生じる活性化シグナリングによって指示されるＣＳＩ−ＲＳ伝送リソースのみを含む。現在の活性化されるＣＳＩ−ＲＳ伝送リソースが現在の効力が生じる活性化シグナリングによって指示される範囲になければ、自動的に非活性化が行われる。
【００８３】
ＣＳＩ−ＲＳ伝送リソースの伝送について
Ａ）１つのＣＳＩ−ＲＳ伝送リソースは、活性化された後の伝送方式と活性化前の伝送方式とは異なる。たとえば、周期が異なり、活性化の後に、より小さい周期で伝送される。たとえば、サブキャリアの間隔が異なり、活性化の後に、より大きいサブキャリア間隔で伝送される。たとえば１つの周期内の伝送回数が異なり、活性化の後に、１つの周期内でより多くの回数で伝送される。
Ｂ）１つのＣＳＩ−ＲＳリソースは、活性化された後の伝送方式が活性化前と同じである。
【００８４】
ステップ２０３において、前記第１伝送リソースから、前記伝送チャネルの伝送パラメータと同一または相関する伝送リソースを前記第２伝送リソースとして選択し、Ｌ（Ｋ以下の正整数）個のダウンリンク参照信号の伝送リソースである前記第２伝送リソースの指示情報を第２シグナリングで前記端末に送信する。
【００８５】
具体的に、前記第１伝送リソースから、前記伝送チャネルの伝送パラメータと同一または相関する伝送リソースを前記第２伝送リソースとして選択する。
【００８６】
さらに、前記第１伝送リソースから、前記伝送チャネルの伝送パラメータと同じ伝送リソースを前記第２伝送リソースとして選択するステップは、前記第１伝送リソースから、前記伝送チャネルと同じ送信ビームを使用する伝送リソースを前記第２伝送リソースとして選択するステップを含む。
【００８７】
さらに、前記第１伝送リソースから、前記伝送チャネルの伝送パラメータに相関する伝送リソースを前記第２伝送リソースとして選択するステップは、前記伝送チャネルに使用される送信ビームと同一ビーム群にある相関送信ビームを特定し、前記第１伝送リソースから、前記相関送信ビームを使用して送信される伝送リソースを前記第２伝送リソースとして選択する。ここで、空間方向角度は、所定範囲内にあり、または、同一ビーム群の中の複数の送信ビームは、同一ビーム群であり、または、同一受信ビームで受信を行う複数の送信ビームは、同一ビーム群である。
【００８８】
上記ステップ２０３において、基地局は、大規模なチャネルパラメータ（空間パラメータ）追跡用のＫ個のダウンリンク参照信号の伝送リソース、たとえばＣＳＩ−ＲＳ伝送リソースから、Ｌ個のＣＳＩ−ＲＳ伝送リソースを選択し、Ｌ個のＣＳＩ−ＲＳ伝送リソースの指示情報をＤＣＩで端末に送信する。
【００８９】
端末は、基地局から送信されるＤＣＩを受信し、Ｌ個のＣＳＩ−ＲＳ伝送リソースを特定する。端末は、当該Ｌ個のＣＳＩ−ＲＳ伝送リソースで取得した空間パラメータに基づいて、データチャネルまたは制御チャネルの空間パラメータを特定し、データチャネルまたは制御チャネルの受信ビームを特定する。
【００９０】
基地局は、ＤＣＩシグナリングの効力が生じた後に、上記データまたは制御チャネルの送信ビームでデータまたは制御信号を端末に送信する。端末は、ＤＣＩシグナリングの効力が生じた後に、特定された受信ビームでデータまたは制御信号を受信する。ＤＣＩシグナリングがサブフレーム（またはタイムスロット）ｎで伝送される場合、ＤＣＩシグナリングの効力が生じる時間は、ｎ＋ｌであり、すなわち、ＤＣＩシグナリングで指示される情報は、サブフレーム（またはタイムスロット）ｎ＋ｌで効力が生じる。ｌ＝０であれば、ＤＣＩシグナリングは、ＤＣＩが伝送されるサブフレーム（またはタイムスロット）内に効力が生じる。ｌの値は、プロトコルで一定値として取り決められ、またはＤＣＩで指示される。
【００９１】
以下、具体例を通じて上記ステップ２０３の実現プロセスを説明する。
例１
【００９２】
基地局は、端末へのデータまたは制御チャネルの送信に使用される送信ビームがビームＡとビームＢであると特定すると、空間パラメータ追跡用のＫ個のＣＳＩ−ＲＳリソースから、同様にビームＡとビームＢで送信されるＣＳＩ−ＲＳリソース（ＣＳＩ−ＲＳリソースＡとＣＳＩ−ＲＳリソースＢと記する）を選択し、ＣＳＩ−ＲＳリソースＡとＣＳＩ−ＲＳリソースＢの、空間パラメータ追跡用のＫ個のＣＳＩ−ＲＳリソースにおける番号をＤＣＩで端末に通知する。
例２
【００９３】
基地局は、端末へのデータまたは制御チャネルの送信に使用される送信ビームがビームＡであると特定すると、空間パラメータ追跡用のＫ個のＣＳＩ−ＲＳリソースから、同様にビームＡで送信されるＣＳＩ−ＲＳリソース（ＣＳＩ−ＲＳリソースＡと記する）を選択し、ＣＳＩ−ＲＳリソースＡの、空間パラメータ追跡用のＫ個のＣＳＩ−ＲＳリソースにおける番号をＤＣＩで端末に通知する。
例３
【００９４】
基地局は、端末へのデータまたは制御チャネルの送信に使用される送信ビームがビームＡであると特定すると、空間パラメータ追跡用のＫ個のＣＳＩ−ＲＳリソースから、ビームＡと同一ビーム群に属するビームＢで送信されるＣＳＩ−ＲＳリソース（ＣＳＩ−ＲＳリソースＢと記する）を選択し、ＣＳＩ−ＲＳリソースＢの、空間パラメータ追跡用のＫ個のＣＳＩ−ＲＳリソースにおける番号をＤＣＩで端末に通知する。ビーム群は、基地局によってビームの空間方向に基づいて区分される。たとえば空間方向が一定範囲内にあるビームを１つのビーム群に区分する。または、端末のフィードバック情報に基づいて区分する。たとえば、端末は、測定に基づいて、同一受信ビームで受信を行うビームを１つのビーム群に区分し、ビームの組分け情報を基地局にフィードバックする。
【００９５】
上記の受信ビームＡでデータまたは制御信号を受信することは、受信ビームＡに対応するビームフォーミングの重み値によって、複数のアンテナ素子で受信した信号の重み付けおよび合併を行い、一つの信号出力を得て後続の処理プロセスを行うことを指す。
【００９６】
同様に、送信ビームＢでデータまたは制御信号を送信することは、送信ビームＢに対応するビームフォーミングの重み値によって、一つの入力信号（制御またはデータチャネルの信号）の重み付けを行ってから複数のアンテナ素子から送信することを指す。
【００９７】
本開示の実施例の大規模なチャネルパラメータの指示方法において、基地局は、ＭＡＣ  ＣＥおよびＤＣＩの２レベルの指示情報によって、伝送チャネルの大規模なチャネルパラメータを指示する。よって、端末は、２レベルの指示情報に基づいて伝送チャネルの大規模なチャネルパラメータを取得し、伝送チャネルのダウンリンク受信ビームを特定することができ、かつ２レベルの指示情報に基づいて伝送チャネルの大規模なチャネルパラメータを指示し、性能と複雑度の間で好適なトレードオフ（ｔｒａｄｅｏｆｆ）を達成する。
実施例３
【００９８】
図３に示すように、本開示の実施例の大規模なチャネルパラメータの指示方法は、基地局に応用され、以下のステップを含む。
【００９９】
ステップ３０１において、Ｎ（Ｋ以上）個のダウンリンク参照信号の伝送リソースである第３伝送リソースを前記端末に対し構成し、前記第３伝送リソースの構成情報を第３シグナリングで前記端末に送信する。
【０１００】
当該ステップは、上記ステップ２０１とは同じであり、ここでは繰り返して記載しない。
【０１０１】
ステップ３０２において、第３伝送リソースに基づいて、ダウンリンク参照信号の伝送リソースの構成処理を行って第１伝送リソースおよび第１伝送リソースの構成情報を得、第１伝送リソースの構成情報を第１シグナリングで端末に送信する。構成情報は、第１伝送リソースの各伝送リソースのアンテナポートと、第３伝送リソースの１つまたは複数の伝送リソースのアンテナポートの、１つまたは１組の大規模なチャネルパラメータに対する相関情報を指示することに用いられる大規模なチャネルパラメータ指示情報を含む。
【０１０２】
当該相関情報は、具体的にＱＣＬ情報である。
【０１０３】
基地局は、大規模なチャネルパラメータの追跡を行うために、Ｋ個のダウンリンク参照信号の伝送リソースを特定する。
【０１０４】
仮に上記ダウンリンク参照信号がＣＳＩ−ＲＳであり、大規模なチャネルパラメータが空間パラメータであると、基地局は、ＣＳＩ−ＲＳリソースの時間周波数リソース位置、周期、ＣＳＩ−ＲＳ信号のシーケンス、ポート数などを含め、ＭＡＣ  ＣＥでＫ個のＣＳＩ−ＲＳ伝送リソースのパラメータを構成する。この場合、当該Ｋ個のＣＳＩ−ＲＳリソースは、上記ステップ３０１のＮ個のＣＳＩ−ＲＳリソースから独立される。さらに、Ｋ個のＣＳＩ−ＲＳ伝送リソースの構成情報には、空間パラメータ指示情報を含む。すなわち各ＣＳＩ−ＲＳ伝送リソースのアンテナポートとＮ個のＣＳＩ−ＲＳリソースのアンテナポートとは、１つまたは複数の空間パラメータに対しＱＣＬである。
【０１０５】
ＭＡＣ  ＣＥシグナリングの効力が生じると、端末は、Ｋ個のＣＳＩ−ＲＳ伝送リソースに基づいて空間パラメータの追跡を開始し、Ｋ個のＣＳＩ−ＲＳ伝送リソースの空間パラメータ追跡を維持して対応する空間パラメータを保存する。
【０１０６】
Ｋ個のＣＳＩ−ＲＳ伝送リソースは、周期性または半持続性である。半持続性のＣＳＩ−ＲＳ伝送リソースの場合、ＣＳＩ−ＲＳの伝送は、ＭＡＣ  ＣＥシグナリングとバインディングされる。すなわちＣＳＩ−ＲＳは、ＭＡＣ  ＣＥシグナリングの効力が生じてから伝送され始め、失効後に伝送が停止する。半持続性のＣＳＩ−ＲＳ伝送リソースの場合、ＣＳＩ−ＲＳの伝送は、ＭＡＣ  ＣＥから独立されてもよい。すなわち、ＣＳＩ−ＲＳの伝送の開始と停止は、ほかの独立なシグナリングによって制御される。
【０１０７】
一例として、前記構成情報は、前記第１伝送リソースを所定の組分け基準で組分けした後の組分け情報を含み、前記所定の組分け基準は、同じ大規模なチャネルパラメータのダウンリンク参照信号の伝送リソースを１組に分けること、または、同一の受信ビームで受信を行う伝送リソースを１組に分けること、または、同じチャネル伝送要件を有する伝送リソースを１組に分けることを含む。
【０１０８】
この場合、端末は、大規模なチャネルパラメータの追跡を行う場合、上記構成情報に基づいて同じ組分け情報を有する伝送リソースの共同追跡を行うことによって、第１伝送リソースで伝送されるＫ個のダウンリンク参照信号の大規模なチャネルパラメータをより迅速に特定することができる。
【０１０９】
以下、ダウンリンク参照信号がＣＳＩ−ＲＳであることを例として説明する。
【０１１０】
ＣＳＩ−ＲＳ伝送リソースの組分けを行い、同じ空間パラメータのＣＳＩ−ＲＳリソースを１組に分け、たとえばＦ組に分ける。基地局は、構成情報で組分け情報を端末に送信する。
【０１１１】
または、基地局は、端末のフィードバック情報に基づいて組分けをしてもよい。たとえば、端末は、測定に基づいて、同一受信ビームで受信を行うビーム（ＣＳＩ−ＲＳ伝送リソース）を１つのＣＳＩ−ＲＳリソース群に分け、組分け情報を基地局にフィードバックする。
【０１１２】
または、基地局は、データまたは制御チャネルの伝送要件に基づいて組分けをしてもよい。たとえば、基地局は、送信ビームＡと送信ビームＢの２つの送信ビームでデータまたは制御の信号伝送を行う。しかし、端末は、１つの受信ビームでしか受信できない。すると、基地局は、送信ビームＡに対応するＣＳＩ−ＲＳ伝送リソースと送信ビームＢに対応するＣＳＩ−ＲＳ伝送リソースを１組に分ける。端末は、空間パラメータの共同推定を行い、送信ビームＡと送信ビームＢを同時に受信可能な１つの受信ビームを特定する。
【０１１３】
ステップ３０３において、前記第１伝送リソースから、前記伝送チャネルの伝送パラメータと同一または相関する伝送リソースを前記第２伝送リソースとして選択し、Ｌ（Ｋ以下の正整数）個のダウンリンク参照信号の伝送リソースである前記第２伝送リソースの指示情報を第２シグナリングで前記端末に送信する。
【０１１４】
当該ステップ３０３は、上記ステップ２０３とは同じであるため、ここでは繰り返して記載しない。
【０１１５】
本開示の実施例の大規模なチャネルパラメータの指示方法において、基地局は、ＭＡＣ  ＣＥおよびＤＣＩの２レベルの指示情報によって、伝送チャネルの大規模なチャネルパラメータを指示する。よって、端末は、２レベルの指示情報に基づいて伝送チャネルの大規模なチャネルパラメータを取得し、伝送チャネルのダウンリンク受信ビームを特定することができ、かつ２レベルの指示情報に基づいて伝送チャネルの大規模なチャネルパラメータを指示し、性能と複雑度の間で好適なトレードオフ（ｔｒａｄｅｏｆｆ）を達成する。
実施例４
【０１１６】
図４に示すように、本開示の実施例は、さらに大規模なチャネルパラメータの特定方法を提供する。当該方法は、端末に応用され、以下のステップを含む。
【０１１７】
ステップ４０１において、基地局から第１シグナリングで送信される第１伝送リソースの構成情報を取得する。前記第１伝送リソースは、Ｋ（正整数）個のダウンリンク参照信号の伝送リソースであり、かつ、前記第１伝送リソースは、１つまたは１組の大規模なチャネルパラメータに対し伝送チャネルに相関する。
【０１１８】
ここの第１伝送リソースは、具体的に、伝送チャネルとは１つまたは１組の大規模なチャネルパラメータに対しＱＣＬである。
【０１１９】
端末は、Ｋ個のダウンリンク参照信号に基づいて、前記１つまたは１組の大規模なチャネルパラメータの追跡を行う。
【０１２０】
上記構成情報は、ダウンリンク参照信号のアンテナポートで伝送される時間周波数リソース、シーケンス構成情報などを含む。各ダウンリンク参照信号の伝送リソースは、Ｐ個のダウンリンク参照信号のアンテナポートを含む。たとえば、Ｐは、１または２またはほかの値である。Ｐの値は、基地局によってシグナリングで構成される。すなわち基地局は、各ダウンリンク参照信号の伝送リソースにＰの値を設定し、その値を当該ダウンリンク参照信号の伝送リソースの構成情報で端末に送信する。Ｐの値は、一定値であってもよく、たとえばプロトコルでＰ＝１と取り決められる。
【０１２１】
各ダウンリンク参照信号の伝送リソースは、１つの送信ビームで送信され、異なるダウンリンク参照信号のリソースに対応する送信ビームは、異なってもよい。
【０１２２】
ここで、第１伝送リソースの構成情報を端末に送信することによって、端末は、当該構成情報に基づいて、第１伝送リソースで伝送されるＫ個のダウンリンク参照信号の大規模なチャネルパラメータを特定する。
【０１２３】
ステップ４０２において、前記基地局から第２シグナリングで送信される第２伝送リソースの指示情報を取得する。前記第２伝送リソースは、前記基地局によって、前記伝送チャネルに用いられる伝送パラメータに基づいて前記第１伝送リソースから選択される伝送リソースである。前記第２伝送リソースは、Ｌ（Ｋ以下の正整数）個のダウンリンク参照信号の伝送リソースである。
【０１２４】
ここの指示情報は、具体的に、前記第１伝送リソースにおける前記第２伝送リソースの番号情報を含む。上記第２シグナリングは、具体的に、ダウンリンク制御情報ＤＣＩである。
【０１２５】
当該ステップにおいて、指示情報を端末に送信することによって、端末は、前記指示情報および前記Ｋ個のダウンリンク参照信号の大規模なチャネルパラメータに基づいて、Ｋ個のダウンリンク参照信号のうち、Ｌ個のダウンリンク参照信号の大規模なチャネルパラメータを取得する。
【０１２６】
ステップ４０３において、前記指示情報および前記第１伝送リソースの構成情報に基づいて、前記伝送チャネルの大規模なパラメータを特定する。
【０１２７】
具体的に、前記第１伝送リソースの構成情報に基づいて、前記第１伝送リソースで伝送されるＫ個のダウンリンク参照信号を測定し、前記第１伝送リソースで伝送されるＫ個のダウンリンク参照信号の大規模なチャネルパラメータを特定し、前記第１伝送リソースにおける前記第２伝送リソースの番号情報および前記Ｋ個のダウンリンク参照信号の大規模なチャネルパラメータに基づいて、Ｋ個のダウンリンク参照信号のうち、Ｌ個のダウンリンク参照信号の大規模なチャネルパラメータを取得し、１つまたは１組の大規模なチャネルパラメータに対し前記Ｌ個のダウンリンク参照信号と前記伝送チャネルの相関情報および前記Ｌ個のダウンリンク参照信号の大規模なチャネルパラメータに基づいて、前記伝送チャネルの大規模なパラメータを特定する。
【０１２８】
上記の１つまたは１組の大規模なチャネルパラメータに対し前記Ｌ個のダウンリンク参照信号と前記伝送チャネルの相関情報は、具体的に、１つまたは１組の大規模なチャネルパラメータに対しＬ個のダウンリンク参照信号と前記伝送チャネルのＱＣＬ情報である。
【０１２９】
２つの信号が１つの空間パラメータ（空間到達角度の平均値、または空間到達角度スプレッド、または空間出発角度の平均値、または空間出発角度スプレッド）に対しＱＣＬであれば、一方の信号の空間パラメータから、他方の信号の空間パラメータを推定することができる（たとえば、２つの信号の空間パラメータが同じである）。送信側から受信側に対し、データまたは制御チャネルの復調参照信号ＤＭＲＳがどの（どれらの）参照信号のポートとは空間パラメータに対しＱＣＬであることを通知したのであれば、受信側は、これらの参照信号のポートに基づいて、空間パラメータの推定を行って受信ビームを特定し、これらの受信ビームでデータまたは制御信号を受信する。
【０１３０】
さらに、上記ステップ４０３の後に、前記特定方法は、さらに、前記伝送チャネルの大規模なパラメータに基づいて前記伝送チャネルの受信ビームを特定することを含む。
【０１３１】
ここで、伝送チャネルの大規模なパラメータに基づいて伝送チャネルの受信ビームを特定することによって、端末の受信の信頼性を向上させる。
【０１３２】
一例として、上記構成情報は、前記第１伝送リソースを所定の組分け基準で組分けした後の組分け情報を含み、前記所定の組分け基準は、同じ大規模なチャネルパラメータのダウンリンク参照信号の伝送リソースを１組に分けること、または、同一受信ビームで受信を行う伝送リソースを１組に分けること、または、同じチャネル伝送要件を有する伝送リソースを１組に分けることを含む。
【０１３３】
この場合、上記ステップ４０３は、前記組分け情報に基づいて、前記第１伝送リソースのうち、各組の伝送リソースの大規模なチャネルパラメータを特定することを含む。
【０１３４】
ここで、端末は、大規模なチャネルパラメータの追跡を行う場合、上記構成情報に基づいて同じ組分け情報を有する伝送リソースの共同追跡を行うことによって、第１伝送リソースで伝送されるＫ個のダウンリンク参照信号の大規模なチャネルパラメータをより迅速に特定することができる。
【０１３５】
さらに、上記ステップ４０１の前に、前記方法は、基地局から第１シグナリングで送信され、Ｎ（Ｋ以上）個のダウンリンク参照信号の伝送リソースである第３伝送リソースを取得することと、所定の品質指標に基づいて、前記第３伝送リソースを測定して測定結果を得、前記基地局が前記測定結果に基づいて前記第３伝送リソースから前記第１伝送リソースを特定するよう、前記測定結果を前記基地局にフィードバックすることとをさらに含む。
【０１３６】
ここで、仮に上記ダウンリンク参照信号がＣＳＩ−ＲＳであり、大規模なチャネルパラメータが空間パラメータであると、端末は、Ｎ個のＣＳＩ−ＲＳ伝送リソースを測定して最適な品質のＱ個のＣＳＩ−ＲＳ伝送リソースを選択し、Ｑ個のＣＳＩ−ＲＳ伝送リソースのＩＤおよびその品質指標を基地局にフィードバックする。品質指標は、参照信号受信電力（ＲＳＲＰ）またはチャネル状態情報（ＣＳＩ）などである。基地局は、端末からフィードバックされる情報を受信し、それに基づいて、活性化される必要のあるＣＳＩ−ＲＳ伝送リソースを特定する。たとえば、端末から報告されるＱ個のＣＳＩ−ＲＳリソースを活性化し、この場合、Ｋ＝Ｑである。または、最適な品質の１つのＣＳＩ−ＲＳ伝送リソースのビームの周囲に隣接するＫ個のビームで伝送されるＣＳＩ−ＲＳリソースを活性化する。この場合、Ｋは、基地局によってシステムのオーバーヘッド要求および端末の能力に基づいて決められ、かつ隣接ビームとは、ビームの空間方向角度が隣接することを指す。
【０１３７】
本開示の実施例の大規模なチャネルパラメータの特定方法において、Ｋ（正整数）個のダウンリンク参照信号の伝送リソースであり、かつ１つまたは１組の大規模なチャネルパラメータに対し伝送チャネルに相関し、基地局から第１シグナリングで送信される第１伝送リソースの構成情報を取得し、前記基地局によって前記伝送チャネルに用いられる伝送パラメータに基づいて前記第１伝送リソースから選択され、Ｌ（Ｋ以下の正整数）個のダウンリンク参照信号の伝送リソースであり、前記基地局から第２シグナリングで送信される第２伝送リソースの指示情報を取得し、前記指示情報および前記第１伝送リソースの構成情報に基づいて、前記伝送チャネルの大規模なパラメータを特定する。よって、端末は、当該伝送チャネルの大規模なパラメータに基づいて、対応する受信ビームを特定し、端末による受信の信頼性を向上させる。
実施例５
【０１３８】
本開示の実施例は、図５に示すように、１つまたは１組の大規模なチャネルパラメータに対し伝送チャネルに相関し、Ｋ（正整数）個のダウンリンク参照信号の伝送リソースである第１伝送リソースを特定し、前記第１伝送リソースの構成情報を第１シグナリングで端末に送信することに用いられる第１処理モジュール５０１と、前記伝送チャネルに用いられる伝送パラメータに基づいて、Ｌ（Ｋ以下の正整数）個のダウンリンク参照信号の伝送リソースである第２伝送リソースを前記第１伝送リソースから選択し、前記第２伝送リソースの指示情報を第２シグナリングで前記端末に送信することに用いられる第２処理モジュール５０２とを含む基地局を提供する。
【０１３９】
本開示の実施例の基地局において、前記指示情報は、前記第１伝送リソースにおける前記第２伝送リソースの番号情報を含む。
【０１４０】
本開示の実施例の基地局において、前記構成情報は、前記第１伝送リソースを所定の組分け基準で組分けした後の組分け情報を含み、前記所定の組分け基準は、同じ大規模なチャネルパラメータのダウンリンク参照信号の伝送リソースを１組に分けること、または、同一受信ビームで受信を行う伝送リソースを１組に分けること、または、同じチャネル伝送要件を有する伝送リソースを１組に分けることを含む。
【０１４１】
図６に示すように、本開示の実施例の基地局は、Ｎ（Ｋ以上）個のダウンリンク参照信号の伝送リソースである第３伝送リソースを前記端末に対し構成し、前記第３伝送リソースの構成情報を第３シグナリングで前記端末に送信することに用いられる構成モジュール５００をさらにを含む。
【０１４２】
本開示の実施例の基地局において、前記第１処理モジュール５０１は、前記第３伝送リソースから前記第１伝送リソースを特定することに用いられる。
【０１４３】
本開示の実施例の基地局において、前記第１処理モジュール５０１は、前記端末または基地局自身によって所定の品質指標に基づいて前記第３伝送リソースを測定した測定結果を取得することに用いられる第１取得サブモジュール５０１１と、前記測定結果に基づいて、前記第３伝送リソースから前記第１伝送リソースを特定することに用いられる第１特定サブモジュール５０１２とを含む。
【０１４４】
本開示の実施例の基地局において、前記第１特定サブモジュール５０１２は、前記第３伝送リソースの測定結果を高い順にソートしてソートリストを得ることに用いられるソートユニット５０１２１と、前記ソートリストの中の前からＫ個の測定結果に対応するダウンリンク参照信号の伝送リソースを前記第１伝送リソースとして特定することに用いられる第１特定ユニット５０１２２とを含む。
【０１４５】
本開示の実施例の基地局において、前記第１特定サブモジュール５０１２は、前記測定結果に基づいて、最適なダウンリンク参照信号の伝送リソースに用いられる第１送信ビームを特定することに用いられる第２特定ユニット５０１２３と、前記第１送信ビームに隣接し、前記第１送信ビームとの空間方向角度の差が所定範囲内にあるＫ個の第２送信ビームを特定することに用いられる第３特定ユニット５０１２４と、前記Ｋ個の第２送信ビームに対応するＫ個のダウンリンク参照信号の伝送リソースを前記第１伝送リソースとして特定することに用いられる第４特定ユニット５０１２５とを含む。
【０１４６】
本開示の実施例の基地局において、前記第１処理モジュール５０１は、さらに、前記第３伝送リソースに基づいて、ダウンリンク参照信号の伝送リソースの構成処理を行って前記第１伝送リソースおよび前記第１伝送リソースの構成情報を得ることに用いられる。ここで、前記構成情報は、前記第１伝送リソースの各伝送リソースのアンテナポートと、前記第３伝送リソースの１つまたは複数の伝送リソースのアンテナポートの、１つまたは１組の大規模なチャネルパラメータに対する相関情報を指示することに用いられる大規模なチャネルパラメータ指示情報を含む。
【０１４７】
本開示の実施例の基地局において、前記第２処理モジュール５０２は、前記第１伝送リソースから、前記伝送チャネルの伝送パラメータと同一または相関する伝送リソースを前記第２伝送リソースとして選択することに用いられる。
【０１４８】
本開示の実施例の基地局において、前記第２処理モジュール５０２は、前記第１伝送リソースから、前記伝送チャネルと同じ送信ビームを使用する伝送リソースを前記第２伝送リソースとして選択することに用いられる第１選択サブモジュール５０２１を含む。
【０１４９】
本開示の実施例の基地局において、前記第２処理モジュール５０２は、前記伝送チャネルに使用される送信ビームと同一ビーム群にある相関送信ビームを特定し、前記第１伝送リソースから、前記相関送信ビームを使用して送信される伝送リソースを前記第２伝送リソースとして選択することに用いられる第２選択サブモジュール５０２２を含む。ここで、空間方向角度は、所定範囲内にあり、または、同一ビーム群の中の複数の送信ビームは、同一ビーム群であり、または、同一受信ビームで受信を行う複数の送信ビームは、同一ビーム群である。
【０１５０】
本開示の実施例の基地局において、前記第１シグナリングは、ＭＡＣ制御ユニットのシグナリングであり、前記第２シグナリングは、ダウンリンク制御情報ＤＣＩである。
【０１５１】
本開示の実施例の基地局において、１つの前記大規模なチャネルパラメータは、空間パラメータ、遅延スプレッド、平均遅延、ドップラー周波数オフセット、ドップラースプレッドまたは平均ゲインであり、１組の前記大規模なチャネルパラメータは、空間パラメータ、遅延スプレッド、平均遅延、ドップラー周波数オフセット、ドップラースプレッドまたは平均ゲインのうちの少なくとも２つを含む。
【０１５２】
なお、当該基地局は、上記方法実施例に対応する基地局であり、上記方法実施例におけるすべての実現形態は、いずれも当該基地局の実施例に適用し、同じ技術効果を奏することもできる。
【０１５３】
本開示の実施例の基地局は、１つまたは１組の大規模なチャネルパラメータに対し伝送チャネルに相関し、Ｋ個のダウンリンク参照信号の伝送リソースである第１伝送リソースを特定し、前記第１伝送リソースの構成情報を第１シグナリングで端末に送信し、伝送チャネルに用いられる伝送パラメータに基づいて、Ｌ個のダウンリンク参照信号の伝送リソースである第２伝送リソースを前記第１伝送リソースから選択し、第２伝送リソースの指示情報を第２シグナリングで前記端末に送信する。よって、前記端末は、前記指示情報および前記第１伝送リソースの構成情報に基づいて、前記伝送チャネルの大規模なパラメータを特定し、さらに、当該伝送チャネルの大規模なパラメータに基づいて、対応する受信ビームを特定し、端末による受信の信頼性を向上させる。
実施例６
【０１５４】
上記目的をさらに実現するために、図７に示すように、本開示の実施例６は、基地局をさらに提供する。当該基地局は、プロセッサ７００と、バスインタフェースを介して前記プロセッサ７００に接続され、前記プロセッサの操作実行に用いられるプログラムおよびデータを記憶することに用いられるメモリ７２０と、バスインタフェースを介してプロセッサ７００に接続されるトランシーバ７１０を含む。前記トランシーバ７１０を介してデータ情報またはパイロットを送信し、前記トランシーバ７１０を介してアップリンク制御チャネルを受信する。プロセッサ７００が前記メモリ７２０に記憶されているプログラムおよびデータを呼び出して実行すると、下記の機能モジュールを実行する。第１処理モジュールは、１つまたは１組の大規模なチャネルパラメータに対し伝送チャネルに相関し、Ｋ（正整数）個のダウンリンク参照信号の伝送リソースである第１伝送リソースを特定し、前記第１伝送リソースの構成情報を第１シグナリングで端末に送信することに用いられる。第２処理モジュールは、前記伝送チャネルに用いられる伝送パラメータに基づいて、Ｌ（Ｋ以下の正整数）個のダウンリンク参照信号の伝送リソースである第２伝送リソースを前記第１伝送リソースから選択し、前記第２伝送リソースの指示情報を第２シグナリングで前記端末に送信することに用いられる。
【０１５５】
プロセッサ７００は、メモリ７２０からプログラムを読み取ることによって、１つまたは１組の大規模なチャネルパラメータに対し伝送チャネルに相関し、Ｋ（正整数）個のダウンリンク参照信号の伝送リソースである第１伝送リソースを特定し、前記第１伝送リソースの構成情報を第１シグナリングで端末に送信するプロセスと、前記伝送チャネルに用いられる伝送パラメータに基づいて、Ｌ（Ｋ以下の正整数）個のダウンリンク参照信号の伝送リソースである第２伝送リソースを前記第１伝送リソースから選択し、前記第２伝送リソースの指示情報を第２シグナリングで前記端末に送信するプロセスを実行することに用いられる。
【０１５６】
トランシーバ７１０は、プロセッサ７００による制御下でデータを送受信することに用いられる。
【０１５７】
ここで、図７において、バスアーキテクチャは、任意数の相互接続するバスとブリッジを含み、具体的に、プロセッサ７００をはじめとする１つ又は複数のプロセッサとメモリ７２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ７１０は、複数の部品であってもよく、即ち送信機と受信機を含み、伝送媒体でほかの各種類の装置と通信するユニットとして提供される。プロセッサ７００は、バスアーキテクチャと通常の処理を管理する。メモリ７２０は、プロセッサ７００による作業時に使用されるデータを記憶できる。
【０１５８】
本開示の実施例の基地局において、プロセッサ７００は、１つまたは１組の大規模なチャネルパラメータに対し伝送チャネルに相関し、Ｋ個のダウンリンク参照信号の伝送リソースである第１伝送リソースを特定し、前記第１伝送リソースの構成情報を第１シグナリングで端末に送信し、伝送チャネルに用いられる伝送パラメータに基づいて、Ｌ個のダウンリンク参照信号の伝送リソースである第２伝送リソースを前記第１伝送リソースから選択し、第２伝送リソースの指示情報を第２シグナリングで前記端末に送信することに用いられる。よって、前記端末は、前記指示情報および前記第１伝送リソースの構成情報に基づいて、前記伝送チャネルの大規模なパラメータを特定し、さらに、当該伝送チャネルの大規模なパラメータに基づいて、対応する受信ビームを特定し、端末による受信の信頼性を向上させる。
実施例７
【０１５９】
図８に示すように、本開示の実施例は、Ｋ（正整数）個のダウンリンク参照信号の伝送リソースであり、かつ１つまたは１組の大規模なチャネルパラメータに対し伝送チャネルに相関し、基地局から第１シグナリングで送信される第１伝送リソースの構成情報を取得することに用いられる第１取得モジュール８０１と、前記基地局によって、前記伝送チャネルに用いられる伝送パラメータに基づいて前記第１伝送リソースから選択され、Ｌ（Ｋ以下の正整数）個のダウンリンク参照信号の伝送リソースであり、前記基地局から第２シグナリングで送信される第２伝送リソースの指示情報を取得することに用いられる第２取得モジュール８０２と、前記指示情報および前記第１伝送リソースの構成情報に基づいて、前記伝送チャネルの大規模なパラメータを特定することに用いられる第１特定モジュール８０３とを含む端末を提供する。
【０１６０】
図９に示すように、本開示の実施例の端末は、前記伝送チャネルの大規模なパラメータに基づいて、前記伝送チャネルの受信ビームを特定することに用いられる第２特定モジュール８０４をさらにを含む。
【０１６１】
本開示の実施例の端末において、前記第１特定モジュール８０３は、前記第１伝送リソースの構成情報に基づいて、前記第１伝送リソースで伝送されるＫ個のダウンリンク参照信号を測定し、前記第１伝送リソースで伝送されるＫ個のダウンリンク参照信号の大規模なチャネルパラメータを特定することに用いられる第２特定サブモジュール８０３１と、前記第１伝送リソースにおける前記第２伝送リソースの番号情報および前記Ｋ個のダウンリンク参照信号の大規模なチャネルパラメータに基づいて、Ｋ個のダウンリンク参照信号のうち、Ｌ個のダウンリンク参照信号の大規模なチャネルパラメータを取得することに用いられる第２取得サブモジュール８０３２と、１つまたは１組の大規模なチャネルパラメータに対し前記Ｌ個のダウンリンク参照信号と前記伝送チャネルの相関情報および前記Ｌ個のダウンリンク参照信号の大規模なチャネルパラメータに基づいて、前記伝送チャネルの大規模なパラメータを特定することに用いられる第３特定サブモジュール８０３３とを含む。
【０１６２】
本開示の実施例の端末において、前記構成情報は、前記第１伝送リソースを所定の組分け基準で組分けした後の組分け情報を含み、前記所定の組分け基準は、同じ大規模なチャネルパラメータのダウンリンク参照信号の伝送リソースを１組に分けること、または、同一受信ビームで受信を行う伝送リソースを１組に分けること、または、同じチャネル伝送要件を有する伝送リソースを１組に分けることを含む。前記第１特定モジュール８０３は、前記組分け情報に基づいて、前記第１伝送リソースのうち、各組の伝送リソースの大規模なチャネルパラメータを特定することに用いられる。
【０１６３】
本開示の実施例の端末は、基地局から第１シグナリングで送信され、Ｎ（Ｋ以上）個のダウンリンク参照信号の伝送リソースである第３伝送リソースを取得することに用いられる第３取得モジュール８０５と、所定の品質指標に基づいて、前記第３伝送リソースを測定して測定結果を得、前記基地局が前記測定結果に基づいて前記第３伝送リソースから前記第１伝送リソースを特定するよう、前記測定結果を前記基地局にフィードバックすることに用いられる測定モジュール８０６とをさらに含む。
【０１６４】
なお、当該端末は、上記方法実施例に対応する端末であり、上記方法実施例におけるすべての実現形態は、いずれも当該端末の実施例に適用し、同じ技術効果を奏することもできる。
【０１６５】
本開示の実施例の端末は、Ｋ（正整数）個のダウンリンク参照信号の伝送リソースであり、かつ１つまたは１組の大規模なチャネルパラメータに対し伝送チャネルに相関し、基地局から第１シグナリングで送信される第１伝送リソースの構成情報を取得し、前記基地局によって前記伝送チャネルに用いられる伝送パラメータに基づいて前記第１伝送リソースから選択され、Ｌ（Ｋ以下の正整数）個のダウンリンク参照信号の伝送リソースであり、前記基地局から第２シグナリングで送信される第２伝送リソースの指示情報を取得し、前記指示情報および前記第１伝送リソースの構成情報に基づいて、前記伝送チャネルの大規模なパラメータを特定する。よって、端末は、当該伝送チャネルの大規模なパラメータに基づいて、対応する受信ビームを特定し、端末による受信の信頼性を向上させる。
実施例８
【０１６６】
上記目的をさらに実現するために、図１０に示すように、本開示の実施例８は、さらに端末を提供する。当該端末は、プロセッサ１０００と、バスインタフェースを介して前記プロセッサ１０００に接続され、前記プロセッサの操作実行に用いられるプログラムおよびデータを記憶することに用いられるメモリ１０２０と、バスインタフェースを介してプロセッサ１０００に接続されるトランシーバ１０１０を含む。前記トランシーバ１０１０を介してダウンリンク制御チャネルを受信する。プロセッサ１０００が前記メモリ１０２０に記憶されているプログラムおよびデータを呼び出して実行すると、下記の機能モジュールを実行する。第１取得モジュールは、Ｋ（正整数）個のダウンリンク参照信号の伝送リソースであり、かつ１つまたは１組の大規模なチャネルパラメータに対し伝送チャネルに相関し、基地局から第１シグナリングで送信される第１伝送リソースの構成情報を取得することに用いられる。第２取得モジュールは、前記基地局によって、前記伝送チャネルに用いられる伝送パラメータに基づいて前記第１伝送リソースから選択され、Ｌ（Ｋ以下の正整数）個のダウンリンク参照信号の伝送リソースであり、前記基地局から第２シグナリングで送信される第２伝送リソースの指示情報を取得することに用いられる。第１特定モジュールは、前記指示情報および前記第１伝送リソースの構成情報に基づいて、前記伝送チャネルの大規模なパラメータを特定することに用いられる。
【０１６７】
プロセッサ１０００は、メモリ１０２０からプログラムを読み取ることによって、Ｋ（正整数）個のダウンリンク参照信号の伝送リソースであり、かつ１つまたは１組の大規模なチャネルパラメータに対し伝送チャネルに相関し、基地局から第１シグナリングで送信される第１伝送リソースの構成情報をトランシーバ１０１０で取得するプロセスと、前記基地局によって、前記伝送チャネルに用いられる伝送パラメータに基づいて前記第１伝送リソースから選択され、Ｌ（Ｋ以下の正整数）個のダウンリンク参照信号の伝送リソースであり、前記基地局から第２シグナリングで送信される第２伝送リソースの指示情報を取得するプロセスと、前記指示情報および前記第１伝送リソースの構成情報に基づいて、前記伝送チャネルの大規模なパラメータを特定するプロセスとを実行することに用いられる。
【０１６８】
トランシーバ１０１０は、プロセッサ１０００による制御下でデータを送受信することに用いられる。
【０１６９】
ここで、図１０において、バスアーキテクチャは、任意数の相互接続するバスとブリッジを含み、具体的に、プロセッサ１０００をはじめとする１つ又は複数のプロセッサとメモリ１０２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ１０１０は、複数の部品であってもよく、即ち送信機と受信機を含み、伝送媒体でほかの各種類の装置と通信するユニットとして提供される。ユーザ端末によっては、ユーザインタフェース１０３０は、内部接続や外部接続する機器のインタフェースであってもよい。接続する機器は、キーパッド、ディスプレイ、スピーカ、マイクロフォン、ジョイスティックなどを含むが、それらに限られない。
【０１７０】
プロセッサ１０００は、バスアーキテクチャと通常の処理を管理する。メモリ１０２０は、プロセッサ１０００による作業時に使用されるデータを記憶できる。
【０１７１】
本開示の実施例の端末において、プロセッサ１０００は、Ｋ（正整数）個のダウンリンク参照信号の伝送リソースであり、かつ１つまたは１組の大規模なチャネルパラメータに対し伝送チャネルに相関し、基地局から第１シグナリングで送信される第１伝送リソースの構成情報をトランシーバ１０１０で取得し、前記基地局によって、前記伝送チャネルに用いられる伝送パラメータに基づいて前記第１伝送リソースから選択され、Ｌ（Ｋ以下の正整数）個のダウンリンク参照信号の伝送リソースであり、前記基地局から第２シグナリングで送信される第２伝送リソースの指示情報を取得し、前記指示情報および前記第１伝送リソースの構成情報に基づいて、前記伝送チャネルの大規模なパラメータを特定する。よって、端末は、当該伝送チャネルの大規模なパラメータに基づいて、対応する受信ビームを特定し、端末による受信の信頼性を向上させる。
【０１７２】
以上の記載は、単に本開示の好適な実施例に過ぎず、本開示を限定するためのものではない。本開示の精神や原則内に為したあらゆる修正、均等物との置換、改良などは、いずれも本開示の保護範囲に含まれるべきである。
【図１】
0006888880.tif 000002
【図２】
0006888880.tif 000003
【図３】
0006888880.tif 000004
【図４】
0006888880.tif 000005
【図５】
0006888880.tif 000006
【図６】
0006888880.tif 000007
【図７】
0006888880.tif 000008
【図８】
0006888880.tif 000009
【図９】
0006888880.tif 000010
【図１０】
0006888880.tif 000011